(57)【特許請求の範囲】
【請求項１】
水平状から全方向へ傾斜可能な状態で配置された左右の前脚体重センサ部及び左右の後脚体重センサ部と、
該左右の前脚体重センサ部及び左右の後脚体重センサ部の測定値を表示する表示部とを備える
体重測定システム。
【請求項２】
前記表示部は、左右の前脚体重センサ部の測定値の合計と、左右の後脚体重センサ部の測定値の合計を表示可能に構成された
請求項１に記載の体重測定システム。
【請求項３】
前記表示部は、左右の前脚体重センサ部と左右の後脚体重センサ部の測定値の合計に対する左右の前脚体重センサ部の測定値の合計の割合と、左右の後脚体重センサ部の測定値の合計の割合を表示可能に構成された
請求項１または請求項２に記載の体重測定システム。
【請求項４】
前記表示部は、左右の前脚体重センサ部と左右の後脚体重センサ部の測定値の合計に対する左右の前脚体重センサ部及び左右の後脚体重センサ部の測定値の割合を表示可能に構成された
請求項１、請求項２または請求項３に記載の体重測定システム。
【発明の詳細な説明】
【技術分野】
【０００１】
本発明は、体重測定システムに関する。詳しくは、動物の各脚に掛かる体重を測定して体重バランスを計測する体重測定システムに係るものである。
【背景技術】
【０００２】
従来より、動物の体重測定器として、例えば特許文献１に記載されたものが知られている。具体的には、図５に示すように、荷重センサ１０２と、その上部に水平に取付けられた対象動物に応じ所定の大きさを有する計測台１０３と、計測台左右端に略垂直に配設される対象動物に応じ所定の高さと奥行きを有する側面フェンス１０４と、測定台前端側に設置され且つ側面フェンスより高さが低い前端フェンス１０５とで構成され、側面フェンス間の後端が開口している構造の体重測定機１０１が知られている。
【先行技術文献】
【特許文献】
【０００３】
【特許文献１】特開２００３−１１４１４５号公報
【発明の概要】
【発明が解決しようとする課題】
【０００４】
ところで、例えば、犬の場合には、一般に前脚と後脚に掛かる体重の割合が７：３程度であり、前脚と後脚に掛かる体重の割合が異なる場合には、何らかの障害を患っていることが多い。そのため、前脚と後脚との体重の掛かる割合を測定することにより動物の健康状態を知ることができる。
【０００５】
また、手術後のリハビリの進行状況を把握するには前脚と後脚に掛かる体重の割合を測定することが重要となる。
【０００６】
しかしながら、特許文献１のように動物の体重を測定することができるシステムは多々開発されているが、犬の前脚と後脚に掛かる体重や各脚に掛かる体重を測定する機能を備えた測定システムが開発されていないのが現状である。
【０００７】
本発明は、以上の点に鑑みて創案されたものであって、各脚に掛かる体重の測定や各脚に掛かる体重の割合を測定することができる機能を備えた体重計測システムを提供することを目的とするものである。
【課題を解決するための手段】
【０００８】
上記の目的を達成するために、本発明に係る体重測定システムは、縦２列、横２列に縦列配置された４つの体重測定部と、各体重測定部の測定値を表示する表示部とを備える。
【０００９】
ここで、縦２列、横２列に縦列配置された４つの体重測定部を配置することによって、動物の左右前脚および左右後脚に掛かる体重を測定することができ、各脚に支障がないかどうかを知ることが可能となる。
【００１０】
また、表示部が、一方の列に属する２つの体重測定部の測定値の合計と、他方の列に属する２つの体重測定部の測定値の合計を表示可能に構成されることによって、動物の前脚に掛かる体重と、後脚に掛かる体重を測定することができ、そのことで動物の健康状態を知ることが可能となる。
【００１１】
更に、表示部が、４つの体重測定部の測定値の合計に対する一方の列に属する２つの体重測定部の測定値の合計の割合と、４つの体重測定部の測定値の合計に対する他方の列に属する２つの体重測定部の測定値の合計の割合を表示可能に構成されことによって、全体の体重に対する前脚に掛かる体重の割合、あるいは後脚に掛かる体重の割合を算定表示することができ、そのことで動物の回復状態の推移を把握することが可能となる。
【００１２】
また、表示部が、４つの体重測定部の測定値の合計に対する各体重測定部の測定値の割合を表示可能に構成されることによって、全体の体重に対する各脚に掛かる体重の割合を算定表示することができ、そのことで動物の各脚のバランス状態を把握することが可能となる。
【発明の効果】
【００１３】
本発明の体重測定システムによれば、縦２列、横２列に縦列配置された４つの体重測定部によって各脚に掛かる体重を測定することができ、そのことで動物の健康状態を把握することが可能となる。
【図面の簡単な説明】
【００１４】
【図１】本発明を適用した体重測定システムの体重測定台の一例を説明するための模式図である。
【図２】本発明を適用した体重測定システムの体重センサ部の一例を説明するための模式図である。
【図３】本発明を適用した体重測定システムのブロック回路説明図である。
【図４】本発明を適用した体重測定システムの表示部の一例を説明するための模式図である。
【図５】従来の動物の体重測定装置の一例を説明するための模式図である。
【発明を実施するための形態】
【００１５】
以下、本発明の実施の形態を図面を参酌しながら説明し、本発明の理解に供する。
図１は本発明を適用した体重測定システムの体重測定台の一例を説明するための模式図、図２（図２（イ）は体重センサ部の平面図を示し、図２（ロ）は体重センサ部の正面図を示し、図２（ハ）は体重センサ部の側面図を示す。）は本発明を適用した体重測定システムの体重センサ部の説明するための模式図、図３は本発明を適用した体重測定システムのブロック回路説明図である。
【００１６】
ここで示す動物用計測装置１は、下部にキャスター２が取付けられた平板状の基台１４と、この基台１４上に縦２列及び横２列で配置された体重センサ部（前脚体重センサ部３Ａ、３Ｂ、後脚体重センサ部４Ａ、４Ｂ）と、これらの体重センサ部からの測定データが入力される表示部５とを有して構成されている。なお、体重センサ部は体重測定部の一例である。
【００１７】
ここで、体重センサ部は、図２に示すように、基板６上に起歪体７が支承部８によって架設され、この起歪体７に歪みゲージ９が貼られており、所謂ロードセルセンサ機構とされている。
【００１８】
ここでのロードセルセンサ機構（図示せず。）は、アルミニウム合金からなる弾性体である起歪体に歪みゲージを貼り付けた構造であり、歪みゲージにはブリッジ回路が設けられている。
【００１９】
なお、起歪体は体重が掛かると変形して歪みが生起し、起歪体に貼り付けられた歪みゲージは、体重が掛かることによって生じた歪みを電気抵抗の変化に置き換え、更にこの電気抵抗の変化をブリッジ回路によって電圧変化に置き換えることで体重を数値化し、体重を示す値としての電気信号（電圧値）が出力されることとなる。
【００２０】
また、ロードセルセンサ機構により体重センサ部から出力される電気信号は、計測モジュール（デジタル変換器）によってデジタル信号に変換され、パーソナルコンピューターに入力される。そして、表示部５によって体重センサ部（前脚体重センサ部３Ａ、３Ｂ及び後脚体重センサ部４Ａ、４Ｂ）による体重測定値が表示される構成とされている。
【００２１】
ここで、パーソナルコンピューターのディスプレ表示の一例を図４に示す。
ここで示す表示部５は、縦軸が体重、横軸が時間とされたグラフ表示画面１０によって一定時間における各脚の体重の変化の推移が表示されると共に、グラフ表示画面１０の右側に、前脚左Ａ、前脚右Ｂ、後脚左Ｃ及び後脚右Ｄに掛かる体重と、この前脚左Ａ、前脚右Ｂ、後脚左Ｃ及び後脚右Ｄに掛かる全体重の合計の数値Ｔが時間の経過に応じて表示される構成とされている。
【００２２】
更に、グラフ表示画面１０の下側には、前脚左Ａの平均値の体重表示部１１、前脚右Ｂの平均値の体重表示部１１、左右前脚全体の平均値の体重表示部１１及び後脚左Ｃの平均値の体重表示部１１、後脚右Ｄの平均値の体重表示部１１、左右後脚全体の体重表示部１２が設けられた構成とされている。
【００２３】
また、前脚左Ａの平均値の体重表示部１１、前脚右Ｂの平均値の体重表示部１１、左右前脚全体の平均値の体重表示部１１及び後脚左Ｃの平均値の体重表示部１１、後脚右Ｄの平均値の体重表示部１１、左右後脚全体の体重表示部１２下側には、それぞれ全重量に対するぞれぞれの割合を％で表示する体重割合表示部１３が設けられた構成とされている。
【００２４】
なお、本実施例では体重測定部としてロードセルセンサ機構による体重センサ部を詳述するものであるが、必ずしもロードセルセンサとする必要性は無く、他の体重測定センサ、あるいはバネ式の体重測定部であっても構わない。
【００２５】
以上の構成よりなる本発明の体重測定システムを用いて、例えば犬（図示せず。）の体重測定を行う場合には、犬の左右の前脚及び左右の後脚を前脚体重センサ部３Ａ、３Ｂ及び後脚体重センサ部４Ａ、４Ｂに載せた状態で立たせる。
【００２６】
ここで、前脚体重センサ部３Ａ、３Ｂ及び後脚体重センサ部４Ａ、４Ｂによって測定された犬の各脚に掛かる体重が表示部５によって表示されると共に、その合計値が全体重として表示される。
【００２７】
そのために、測定される犬の大きさに対する全体重によって健全な体重であるか、あるいは肥満であるかを判断することが可能となる。
【００２８】
また、全体重に対する前脚と後脚との体重割合を表示することにより、例えば、手術後の犬の場合では前脚と後脚とに掛かる体重比率が８：２、あるいは９：１と健康な状態に比べて比率が大きくなることが多く、こうした表示により回復力の度合いを把握することが可能となる。
【００２９】
なお、老齢犬の場合では、後脚である腰部が弱ってくるために歳をとるとともに前脚に掛かる体重の割合が増え、前脚に掛かる体重と後脚に掛かる体重の割合が変化するために、リハビリをする必要性が生ずるのであるが、年齢に応じて前脚に掛かる体重と後脚に掛かる体重の割合を把握することによって、リハビリの有無を判断する指標とすることが可能となる。
【００３０】
また、前脚体重センサ部３Ａ、３Ｂ及び後脚体重センサ部４Ａ、４Ｂによって犬の左右前脚及び左右後脚の各脚に掛かる体重測定値、あるいは全体重に対する体重割合が表示されることによって、例えば左右前脚および左右後脚のいずれかの脚に支障がある場合には、その支障のある脚の体重割合が著しく小さくなり、これにより、怪我などの支障を負っていることを把握することが可能となる。
【００３１】
また、全体重に対する前脚と後脚との体重割合、あるいは全体重に対する個別の脚の体重割合が表示されることにより、病気や怪我の回復具合の推移を確認することが可能となる。
【００３２】
なお、本発明の体重測定システムでは、前脚体重センサ部及び後脚体重センサ部を水平状において動物の体重測定を行うことを基本とするものであるが、動物を載せた状態で全方向へ傾斜させることにより動物の各脚に掛かる体重が変化することとなるが、これは、傾斜することにより脚を踏ん張ることにより傾斜側の脚に体重が掛かるためであり、この傾斜を利用してどの程度の体重に耐えるかの確認とリハビリを通じての回復状態の推移を把握することが可能となる。
【符号の説明】
【００３３】
１          動物用計測装置
２          キャスター
３Ａ、３Ｂ  前脚体重センサ部
４Ａ、４Ｂ  後脚体重センサ部
５          表示部
６          基板
７          起歪体
８          支承部
９          歪みゲージ
１０        グラフ表示画面
１１、１２  体重表示部
１３        体重割合表示部
１４        基台
【図１】
0005419646.tif 000002
【図２】
0005419646.tif 000003
【図３】
0005419646.tif 000004
【図４】
0005419646.tif 000005
【図５】
0005419646.tif 000006